(57)【特許請求の範囲】
【請求項１】
建物内のリビングやダイニングとなる部屋の壁面のうち、建物の外壁において前記部屋側を向くとともに前記外壁に設けられた窓の側方および下方の壁面に、放射冷房機能を有する熱放射パネルが前記壁面に沿って、かつ当該壁面から所定距離だけ室内側に離間して設けられ、
前記壁面のうち、前記熱放射パネルの裏側と対向する壁面に、調湿壁材が当該壁面に当接した状態で、かつ前記熱放射パネルから離間した状態で設けられており、
前記熱放射パネルは、前記部屋の床面から前記壁面の上端付近までの高さを有しており、
前記調湿壁材の高さおよび幅は、前記熱放射パネルとほぼ等しく設定されていることを特徴とする冷房システム。
【請求項２】
請求項１に記載の冷房システムにおいて、
前記熱放射パネルは前記部屋の床面から天井付近までの高さを有しており、
前記熱放射パネルの下端部が下端固定部材によって前記部屋の床面に固定され、上端部が前記部屋の天井近傍の前記壁面に上端固定部材によって固定されていることを特徴とする冷房システム。
【発明の詳細な説明】
【技術分野】
【０００１】
本発明は、熱放射パネルを利用した冷房システムに関する。
【背景技術】
【０００２】
熱放射パネルを利用した冷暖房システムの一例として特許文献１に記載のものが知られている。
この冷暖房システムは、多数の管部材を備えて構成された冷暖房パネル（熱放射パネル）と、この冷暖房パネルの内部に高温あるいは低温の流体を流通させる流体供給装置とを備えたものである。そして、冷暖房パネルは、例えばリビングルームと階段スペースとを仕切る位置や、トイレ室と洗面スペースとを仕切る位置に設けたり、冷暖房パネルの幅方向一端側をリビングルームの壁面に回動可能な状態で取り付け、リビングルームと食堂とを仕切る位置と、リビングルームの壁面側との間を回動可能となるようにして設けている。
このような冷暖房システムでは、夏場には、流体供給装置から冷暖房パネルに冷水を流通させることによって、当該冷暖房パネルが放射冷房パネルとして機能し、冬場には、流体供給装置から冷暖房パネルに温水を流通させることによって、当該冷暖房パネルが放射暖房パネルとして機能するようになっている。
【先行技術文献】
【特許文献】
【０００３】
【特許文献１】特開２００８−１２１９０７号公報
【発明の概要】
【発明が解決しようとする課題】
【０００４】
ところで、上記のような熱放射パネルを壁面に沿って設置すると、夏場の冷房時に、熱放射パネルの裏側と対向する壁面の温度が露点以下に下がる可能性がある。壁面の温度が露点以下に下がっている場合に、換気等のために窓を開放して部屋に外気を入れた場合、熱放射パネルの裏側に対向する壁面に結露が生じるおそれがある。
一方、壁面が露点に達しないように、熱放射パネルを壁面から大幅に離した場合、熱放射パネルが邪魔になって、部屋の利用スペースが狭くなってしまう。
【０００５】
本発明は上記事情に鑑みてなされたもので、熱放射パネルを部屋の壁面に沿って設置しても、当該壁面への結露を防止できる冷房システムを提供することを課題としている。
【課題を解決するための手段】
【０００６】
上記課題を解決するために、請求項１に記載の発明は、例えば図１〜図３に示すように、建物内のリビングやダイニングとなる部屋１，２の壁面１０ａ，１３ａのうち、建物の外壁１０，１３において前記部屋１，２側を向くとともに前記外壁１０，１３に設けられた窓１１，１４の側方および下方の壁面１０ａ，１３ａに、放射冷房機能を有する熱放射パネル１２，１５が前記壁面１０ａ，１３ａに沿って、かつ当該壁面１０ａ，１３ａから所定距離だけ室内側に離間して設けられ、
前記壁面１０ａ，１３ａのうち、前記熱放射パネル１２，１５の裏側と対向する壁面１０ｂ，１３ｂに、調湿壁材４０が当該壁面１０ｂ，１３ｂに当接した状態で、かつ前記熱放射パネル１２，１５から離間した状態で設けられており、
前記熱放射パネル１２，１５は、前記部屋１，２の床面から前記壁面１０ａ，１３ａの上端付近までの高さを有しており、
前記調湿壁材４０の高さおよび幅は、前記熱放射パネル１２，１５とほぼ等しく設定されていることを特徴とする。
【０００７】
請求項１に記載の発明によれば、熱放射パネル１２，１５，１８を壁面１０ａ，１３ａ，１６ａに沿って設けても、熱放射パネル１２，１５，１８の裏側と対向する壁面１０ｂ，１３ｂ，１６ｂに、調湿壁材４０が当該壁面１０ｂ，１３ｂ，１６ｂに当接した状態で設けられているので、窓１１，１４，１７を開放して部屋１，２，３に外気を入れた場合等においても、この調湿壁材４０の水分調整機能によって、当該調湿壁材４０の表面への結露、つまり、熱放射パネル１２，１５，１８の裏側に対向する壁面（調湿壁材４０の表面）への結露を防止できる。
また、熱放射パネル１２，１５が外壁１０，１３の部屋１，２側を向く壁面１０ａ，１３ａに沿って設けられているので、この熱放射パネル１２，１５に冷水を供給する流体供給装置３０と、熱放射パネル１２，１５との距離を短くできる。したがって、流体供給装置３０から熱放射パネル１２，１５までの配管を短くできるので配管作業が容易となる。
また、熱放射パネル１２，１５が外壁１０，１３に設けられた窓付近（側方および下方）の壁面１０ａ，１３ａに沿って設けられているので、夏場に暑くなりがちな窓付近を効果的に冷却できる。
【０００８】
請求項２に記載の発明は、請求項１に記載の冷房システムにおいて、
前記熱放射パネル１２は前記部屋１，３の床面から天井付近までの高さを有しており、
前記熱放射パネル１２の下端部が下端固定部材２０によって前記部屋１の床面に固定され、上端部が前記部屋１の天井付近の前記壁面１０ａに上端固定部材２１によって固定されていることを特徴とする。
【０００９】
請求項２に記載の発明によれば、熱放射パネル１２は部屋１の床面から天井付近までの高さを有しているので、部屋１の床面から天井付近までを効果的に冷房できるとともに、天井付近に滞留している熱気を効果的に冷却できる。
また、熱放射パネル１２の荷重を下端固定部材２０を介して床面で受けることができるとともに、熱放射パネル１２の上端部を上端固定部材２１によって天井付近の壁面１０ａに固定することによって、熱放射パネル１２の振れ止めを行える。
【発明の効果】
【００１４】
本発明によれば、建物内の部屋の壁面の少なくとも一部に、放射冷房機能を有する熱放射パネルが前記壁面に沿って設けられ、前記壁面のうち、前記熱放射パネルの裏側と対向する壁面に、調湿壁材が当該壁面に当接した状態で設けられているので、熱放射パネルを壁面に沿って設けても、窓を開放して部屋に外気を入れた場合等に、この調湿壁材の水分調整機能によって、当該調湿壁材の表面への結露を防止できる。
また、熱放射パネルが外壁の部屋側を向く壁面に沿って設けられているので、この熱放射パネルに冷水を供給する流体供給装置と、熱放射パネルとの距離を短くできる。したがって、流体供給装置から熱放射パネルまでの配管を短くできるので配管作業が容易となる。
また、熱放射パネルが外壁に設けられた窓の側方および下方の壁面に沿って設けられているので、夏場に暑くなりがちな窓付近を効果的に冷却できる。
【図面の簡単な説明】
【００１５】
【図１】本発明に係る冷房システムが設けられた建物の１階の平面図である。
【図２】本発明に係る冷房システムを示すもので、その側断面図である。
【図３】同、正面図である。
【図４】同、熱放射パネルの内部に高温あるいは低温の水を流通させる流体供給装置の概略構成を示す図である。
【図５】本発明に係る冷房システムの効果を検証するために行った実験結果を示すもので、窓常時閉の場合のクロス仕上時の実験結果を示すグラフである。
【図６】同、冷房停止時窓階の場合のクロス仕上時の実験結果を示すグラフである。
【図７】同、冷房停止時窓階の場合の調湿壁材仕上げ時の実験結果を示すグラフである。
【発明を実施するための形態】
【００１６】
以下、図面を参照して本発明の実施の形態について説明する。
図１は、本発明に係る冷房システムが設けられた建物の１階の平面図である。なお、本実施の形態の冷房システムは、冷房機能に加えて暖房機能も有しているが、当該暖房機能は無くてもよい。
建物は住宅であり、その１階には、リビングとなる部屋１、ダイニングとなる部屋２、和室となる部屋３が配置されており、これらの部屋の間には間仕切壁はなく、部屋１〜３は連通した状態となっている。なお、符号４はキッチン、符号５は玄関、符号６は洗面室、符号７は浴室である。
【００１７】
前記部屋１の壁面のうち、外壁１０の部屋１側を向く壁面１０ａには、外壁１０に設けられた窓１１の左右の横付近に熱放射パネル１２,１２が前記壁面１０ａに沿って設けられている。
また、部屋２の壁面のうち、外壁１３の部屋２側を向く壁面１３ａには、外壁１３に設けられた窓１４の下付近に熱放射パネル１５が前記壁面１３ａに沿って設けられている。
さらに、部屋３の壁面のうち、外壁１６の部屋３側を向く壁面１６ａには、外壁１６に設けられた窓１７の左横付近に熱放射パネル１８が前記壁面１６ａに沿って設けられている。
前記熱放射パネル１２,１５,１８は、図２に示すように、壁面１０ａ,１３ａ,１６ａと平行にかつ、当該壁面１０ａ,１３ａ,１６ａから所定距離だけ離間して配置されている。熱放射パネル１２,１５,１８と壁面１０ａ,１３ａ,１６ａとの間の距離は１２０ｍｍ以下に設定されるが、本実施の形態では９０ｍｍ程度となっている。
【００１８】
熱放射パネル１２は、図２および図３に示すように、部屋１の床面から天井付近までの高さを有しており、例えば高さは２２００ｍｍ、幅は７００ｍｍ程度に設定されている。また、熱放射パネル１２の下端部は、下端固定部材２０によって部屋１の床面に固定され、上端部は部屋１の天井付近の壁面１０ａに上端固定部材２１によって固定されている。
前記熱放射パネル１２は、多数の管部材２２と、これら管部材２２の上端部に設けられた上部ヘッダ２３と、管部材２２の下端部に設けられた下部ヘッダ２４と備えている。
多数の管部材２２は、それぞれ、例えばアルミニウムなどの熱伝導性材料にて押出し成形によって形成されており、軸直交方向における断面形状が長方形状とされ、その両端部は開口している。
上部ヘッダ２３は管部材２２の並列方向に長尺な管状のものであり、この上部ヘッダ２３の左右両端部は閉塞されている。そして、この上部ヘッド２３の下面に管部材２２の上端開口部が左右方向に所定間隔で接続され、これによって、管部材２２と上部ヘッダ２３とは連通している。
【００１９】
下部ヘッダ２４は、上部ヘッダ２３と平行に設けられており、この下部ヘッダ２４の左右両端部は閉塞されている。また、下部ヘッダ２４の長さ方向中央部には、隔壁２４ａが形成されており、隔壁２４ａより左側が左ヘッダ部２４ｂ、隔壁２４ａより右側が右ヘッダ部２４ｃとなっている。
左ヘッダ部２４ｂの上面には、左半分に配置された管部材２２の下端開口部が左右方向に所定間隔で接続され、これによって、左半分の管部材２２と左ヘッダ部２４ｂとは連通している。また、右ヘッダ部２４ｃの上面には、右半分に配置された管部材２２の下端開口部が左右方向に所定間隔で接続され、これによって、右半分の管部材２２と右ヘッダ部２４ｃとは連通している。
左ヘッダ部２４ｂには冷水や温水を供給する供給管２４ｄが接続され、右ヘッダ部２４ｂには排出管２４ｅが接続されている。
なお、下部ヘッダ２４の下方には、冷房時に熱放射パネル１２の表面に結露する水を受けるとともに外部に排出する図示しないドレンパンが下部ヘッダ２４の長手方向に沿って設けられている。
【００２０】
熱放射パネル１５は、熱放射パネル１２と同様の構成となっているが、高さが５００ｍｍ、幅が７００ｍｍ程度となっており、熱放射パネル１２の高さの１／４以下に設定されている。熱放射パネル１５の下端部は、熱放射パネル１２と同様に、下端固定部材２０によって部屋２の床面に固定され、上端部は部屋２の窓１４下の壁面１３ａに上端固定部材２１によって固定されている。
熱放射パネル１８は、熱放射パネル１２と同様の構成となっており、高さは２２００ｍｍ、幅は７００ｍｍ程度に設定されている。また、熱放射パネル１８の下端部は、熱放射パネル１２と同様に、下端固定部材２０によって部屋３の床面に固定され、上端部は部屋３の天井付近の壁面１６ａに上端固定部材２１によって固定されている。
【００２１】
前記建物の外側には、図１に示すように、流体供給装置３０が設けられている。この流体供給装置３０は、熱放射パネル１２,１５,１８の内部に高温あるいは低温の水を流通させる装置であり、図４に示すように、配管３１と、ポンプ３２，３３と、三方弁３４，３５と、燃料ボイラ３６と、ヒートポンプ３７とを備えて構成されている。
【００２２】
配管３１は、熱放射パネル１２,１５,１８のそれぞれの排出管２４ｅに接続された配管３１ａと、熱放射パネル１２,１５,１８のそれぞれの供給管２４ｄに接続された配管３１ｂとを備えている。配管３１ａの基端部は三方弁３４に接続されており、この三方弁３４は接続管３１ｃ，３１ｄを介して燃料ボイラ３６およびヒートポンプ３７に接続されている。
一方、配管３１ｂの基端部は三方弁３５に接続されており、この三方弁３５は接続管３１ｅ，３１ｆを介して燃料ボイラ３６およびヒートポンプ３７に接続されている。
このような配管３１、多数の管部材２２、上部ヘッダ部２３、下部ヘッダ部２４によって、燃料ボイラ３６を経由する第１の閉経路３８と、ヒートポンプ３７を経由する第２の閉経路３９とが形成されている。
【００２３】
ポンプ３２は、接続管３１ｃ上に設けられており、燃料ボイラ３６を使用する場合に駆動する。ポンプ３３は、接続管３１ｆ上に設けられており、ヒートポンプ３７を使用する場合に駆動する。
燃料ボイラ３６は、灯油等の燃料を燃焼させることにより配管３１内の水を加熱する装置である。この燃料ボイラ３６は、外気温度がヒートポンプ３７が十分に能力を発揮する所定温度未満、すなわち例えば０℃未満の場合に駆動する。
ヒートポンプ３７は、圧縮器、膨張弁および熱交換器を備えており、圧縮器にて冷媒を圧縮した際の発熱現象、および膨張弁にて冷媒を膨張させた際の吸熱現象を利用して、熱交換器を介して配管３１内の水を加熱・冷却する装置である。このようなヒートポンプ３７は、外気温度がヒートポンプ３７が十分に能力を発揮する所定温度以上である場合に駆動する。すなわち、例えば外気温度が０〜２５℃の場合には配管３１内の水を加熱し、外気温度が２５℃を超える場合には配管３１内の水を冷却するように駆動する。なお、ヒートポンプ３７中の冷媒には代替フロンやＣＯ２ガス等を使用することができる。また、ヒートポンプ３７が十分に能力を発揮する所定温度は、０℃に限定されるものではなく、熱放射パネルの大きさや設置場所、ヒートポンプ３７の能力等に応じて適宜設定されるものである。
【００２４】
上記のような流体供給装置３０は、夏場には熱放射パネル１２,１５,１８内部に冷水を流通させる。すなわち、三方弁３４を配管３１ａと接続管３１ｄとを接続する状態に開き、三方弁３５を配管３１ｂと接続管３１ｆとを接続する状態に開く。つまり、ヒートポンプ３７を経由する第２の閉経路３９を形成する。そして、ヒートポンプ３７により配管３１内の水を冷却させると共に、図中矢印Ａで示す流れが形成されるようにポンプ３３を駆動する。これにより、冷水は供給管２４ｄから下部ヘッダ２４の左ヘッダ部２４ｂを経由して、熱放射パネル１２,１５,１８の多数の管部材２２のうち、左半分の管部材２２の内部を下から上へ向けて流通し、さらに、上部ヘッダ２３を経由して、右半分の管部材２２の内部を上から下へ向けて流通し、これによって部屋１〜３が冷却される。
【００２５】
一方、冬場には、上記と同様にして、第２の閉経路３９を形成し、ヒートポンプ３７により配管３１内の水を加熱させると共に、図中矢印Ａで示す流れが形成されるようにポンプ３３を駆動する。これにより、温水は冷水の場合と同様にして流通し、これによって部屋１〜３が暖められる。
また、冬場のうち外気温度が例えば０℃未満となる厳寒期には、熱放射パネル１２,１５,１８内部に熱水を流通させる。すなわち、三方弁３４を配管３１ａと接続管３１ｃとを接続する状態に開き、三方弁３５を配管３１ｂと接続管３１ｅとを接続する状態に開く。つまり、燃料ボイラ３６を経由する第１の閉経路３８を形成する。そして、燃料ボイラ３６により配管３１内の水を加熱させると共に、図中矢印Ｂで示す流れが形成されるようにポンプ３２を駆動する。これにより、熱水は供給管２４ｄから下部ヘッダ２４の左ヘッダ部２４ｂを経由して、熱放射パネル１２,１５,１８の多数の管部材２２のうち、左半分の管部材２２の内部を下から上へ向けて流通し、さらに、上部ヘッダ２３を経由して、右半分の管部材２２の内部を上から下へ向けて流通し、これによって部屋１〜３がさらに高い温度で暖められるようになる。
なお、本実施の形態では、多数の管部材２２のうち左半分の管部材２２内を下から上に冷水や温水を流通させ、右半分の管部材２２内を上から下に冷水や温水を流通させるようにしたが、これに代えて、多数の管部材２２内を一筆書きのようにして冷水や温水を流通させるようにしてもよい。
【００２６】
図２に示すように、前記壁面１０ａ，１３ａ，１６ａのうち、熱放射パネル１２，１５，１８の裏側と対向する壁面１０ｂ，１３ｂ，１６ｂには、それぞれ調湿壁材４０が当該壁面１０ｂ，１３ｂ，１６ｂに当接した状態で設けられている。調湿壁材４０は矩形板状のものであり、その長辺の長さ（高さ）は、熱放射パネル１２，１５，１８のそれぞれとほぼ等しくなっており、短辺の長さ（幅）は、熱放射パネル１２，１５，１８のそれぞれとほぼ等しくなっている。
この調湿壁材４０は、調湿性のある無機多孔質材料を添加した火山性ガラス質複層板（厚さ：６ｍｍ）によって形成されている。
調湿壁材４０の仕様は以下のとおりである。
【表１】
0005897252.tif 000002
このような仕様の調湿壁材４０は、室内の湿度が過多の場合は吸湿し、反対に室内空気が乾燥状態にある場合は放湿して室内の湿度調整を行うようになっている。さらに、調湿壁材４０は、室内の空気汚染物質を吸着して室内空気汚染物質の低減化する機能をもっている。
【００２７】
前記壁面１０ａ,１３ａ,１６ａを構成する外壁１０,１３,１６は、壁パネル２５と、この壁パネル２５の表面に取り付けられた図示しない外装材と、壁パネル１５の裏面に取り付けられた石膏ボード２６とを備えており、この石膏ボード２６の表面に、仕上材としてのビニールクロス２７が貼り付けられている。
そして、このビニールクロス２７の表面のうち、前記熱放射パネル１２,１５,１８の裏側と対向する表面が熱放射パネル１２,１５,１８の裏側と対向する壁面１０ｂ,１３ｂ,１６ｂとなっている。
熱放射パネル１２,１５,１８の裏側と対向する壁面１０ｂ,１３ｂ,１６ｂに、調湿壁材４０が当該壁面１０ｂ,１３ｂ,１６ｂに当接した状態で貼り付けられている。調湿壁材４０を壁面１０ｂ,１３ｂ,１６ｂに貼り付けるには、調湿壁材４０の裏面を壁面１０ｂ,１３ｂ,１６ｂに接着剤や両面接着テープによって接着することによって行う。
なお、前記熱放射パネル１２,１５,１８の裏側と対向する壁面１０ｂ,１３ｂ,１６ｂにビニールクロス２７を貼り付けずに、石膏ボード２６の表面のままとし、この石膏ボード２６の表面に前記調湿壁材４０を貼り付けてもよい。
【００２８】
前記調湿壁材の効果を検証するため実験を行った。実験を行った試験棟は、壁で囲まれた６畳程度の広さで天井高は２．１ｍである。試験棟の外側、つまり試験棟が設けられた試験室内は温度３０℃、湿度８０％に維持されている。実験は、熱放射パネルの裏面側に対向する壁面を調湿壁材で仕上げた場合と、一般的なクロス仕上げとした場合で行った。
図５はクロス仕上げの場合の実測結果である。冷房運転時の室内設定温度は２６℃とし、６時間運転と６時間停止を繰り返して熱放射パネルの裏面に対向する壁面の状態を確認した。０．５回／h換気相当の機械換気に伴う水分流入（定常時５０g/h）に加え、室内で１８０g/hの加湿を行ったが、熱放射パネル裏面のクロス表面が露点に達することはなかった。また、冷房運転開始と共に熱放射パネル裏面のクロス表面温度は下がるが、熱放射パネルによる除湿効果で室内の湿度も下がるため、結露に至っていない。熱放射パネルのドレイン排水量は３９０g/hであり、除湿量が加湿量を上回っていた。
【００２９】
図６もクロス仕上げの場合の実測結果であるが、冷房停止時には窓を開けて外気（３０℃、８０％で維持された試験室内の空気）を入れる条件とした。外気流入量は測定できてないが、窓開放後１時間程度で室温と外気温が等しくなっている。室内加湿量は熱放射パネル運転時１２０g/hとした。窓開放直後に熱放射パネル裏面のクロス表面は露点に達し、まもなく結露が確認された。結露はクロス表面に水滴が付く程度で、流れ落ちることはなかった。その後室温の上昇と共に結露は消えたが、調湿性のないクロス仕上げの壁に熱放射パネルを設置することは表面結露のリスクが大きいことを示唆する結果となった。
【００３０】
冷房直後に窓を開放し、外気を入れることは生活する上で十分考えられることである。そのような条件でも結露を回避できるよう、熱放射パネルの裏面に対向する壁面を調湿壁材で仕上げて実測した結果を図７に示す。その他の条件は図６のものと同じである。
冷房停止後、窓開放により熱放射パネルの裏面の湿度は上がるが、調湿壁材表面が露点に達することはなかった。調湿壁材の水分調整機能により、結露を回避できることを表している。
【００３１】
本実施の形態によれば、建物内の部屋１,２,３の壁面１０ａ,１３ａ,１６ａの少なくとも一部に、放射冷房機能を有する熱放射パネル１２,１５,１８が壁面１０ａ,１３ａ,１６ａに沿って設けられ、熱放射パネル１２,１５,１８の裏側と対向する壁面１０ｂ,１３ｂ,１６ｂに、調湿壁材４０が当該壁面１０ｂ,１３ｂ,１６ｂに当接した状態で設けられているので、窓１１,１４,１７を開放して部屋１,２,３に外気を入れた場合等においても、この調湿壁材４０の水分調整機能によって、当該調湿壁材４０の表面への結露、つまり、熱放射パネル１２,１５,１８の裏側に対向する壁面（調湿壁材４０の表面）への結露を防止できる。
【００３２】
また、熱放射パネル１２,１８は部屋１,３の床面から天井付近までの高さを有しているので、部屋１,３の床面から天井付近までを効果的に冷房できるとともに、天井付近に滞留している熱気を効果的に冷却できる。
また、熱放射パネル１２,１８の下端部が下端固定部材２０によって部屋１,３の床面に固定され、上端部が部屋１,３の天井付近の壁面に上端固定部材２１によって固定されているので、熱放射パネル１２,１８の荷重を下端固定部材２０を介して床面で受けることができるとともに、熱放射パネル１２,１８の上端部を上端固定部材２１によって天井付近の壁面に固定することによって、熱放射パネル１２,１８の振れ止めを行える。
【００３３】
また、熱放射パネル１２,１５,１８が外壁１０,１３,１６の部屋１,２,３側を向く壁面１０ａ,１３ａ,１６ａに沿って設けられているので、この熱放射パネル１２,１５,１８に冷水を供給する流体供給装置３０と、熱放射パネル１２,１５,１８との距離を短くできる。したがって、流体供給装置３０から熱放射パネルまでの配管を短くできるので配管作業が容易となる。
加えて、熱放射パネル１２,１５,１８が外壁１０,１３,１６に設けられた窓１１,１４,１７付近の壁面１０ａ,１３ａ,１６ａに設けられているので、夏場に暑くなりがちな窓付近を効果的に冷却できる。
【符号の説明】
【００３４】
１,２,３  部屋
１０,１３,１６  外壁
１０ａ,１３ａ,１６ａ  壁面
１０ｂ, １３ｂ,１６ｂ  壁面
１１,１４,１７  窓
１２,１５,１８  熱放射パネル
２０  下端固定部材
２１  上端固定部材
４０  調湿壁材
【図１】
0005897252.tif 000003
【図２】
0005897252.tif 000004
【図３】
0005897252.tif 000005
【図４】
0005897252.tif 000006
【図５】
0005897252.tif 000007
【図６】
0005897252.tif 000008
【図７】
0005897252.tif 000009